(57)【要約】【課題】本発明は、放送番組と関連付けられた放送コンテンツ情報を提供する方法およびそのシステムに関する。【解決手段】本発明の好適な一実施例によれば、移動通信端末機から放送番組の音声情報と、音声情報と関連付けられた時間情報とを受信する第１データ送受信部と、音声情報と時間情報とを用いて音声情報が含まれている放送コンテンツを判断し、音声情報に放送コンテンツ情報の抽出命令を生成する情報分析部と、放送コンテンツ情報の抽出命令に応じて放送コンテンツ情報を読出す放送コンテンツの情報マッピング部と、を含み、読出された放送コンテンツ情報を第１データ送受信部を介して移動通信端末機に提供する放送コンテンツ提供サーバが提供される。よって、本発明によれば、別途の無線インターネットに接続しなくても放送コンテンツと関連付けられた放送コンテンツ情報の提供を受けることができる。【選択図】図１
2008527788.tif 000002
【特許請求の範囲】
【請求項１】
移動通信端末機と通信網を介して接続され、前記移動通信端末機に放送コンテンツを提供する放送コンテンツ提供サーバにおいて、
前記移動通信端末機から放送番組の音声情報と、前記放送コンテンツと関連付けられた時間情報とを受信する第１データ送受信部と、
前記音声情報と前記時間情報とを用いて前記音声情報が含まれている放送番組を判断し、前記判断された放送コンテンツ情報の抽出命令を生成する情報分析部と、
前記放送コンテンツ情報の抽出命令に応じて前記放送コンテンツ情報を保存しているデータベースから前記判断された放送番組と関連付けられた放送コンテンツ情報を読出す放送コンテンツ情報マッピング部と、を含み、
前記読出された放送コンテンツ情報を前記第１データ送受信部を介して前記移動通信端末機に送信する、ことを特徴とする放送コンテンツ提供サーバ。
【請求項２】
前記放送番組と関連付けられた放送コンテンツ情報を前記放送番組に関連付けて配置して放送コンテンツ情報のデータベースに保存する放送コンテンツ情報登録部をさらに含む、ことを特徴とする請求項１に記載の放送コンテンツ提供サーバ。
【請求項３】
前記放送コンテンツ情報は、放送番組と連関付けられて付加的に提供される文字データ、数字データ、映像データおよびオーディオデータの中のいずれか一つまたは一つ以上の組合せである、ことを特徴とする請求項１に記載の放送コンテンツ提供サーバ。
【請求項４】
前記音声情報は、前記放送番組から定められた時間の間に抽出された音声情報であり、
前記時間情報は、前記音声情報の抽出を始めた時間および前記音声情報の抽出を終了した時間である、ことを特徴とする請求項１に記載の放送コンテンツ提供サーバ。
【請求項５】
前記放送コンテンツは、空中波放送、衛星放送、地上波ＤＭＢ放送および衛星ＤＭＢ放送の中のいずれか一つの放送から提供され、かつ、アナログ放送およびデジタル放送の中のいずれか一つである、ことを特徴とする請求項１に記載の放送コンテンツ提供サーバ。
【請求項６】
一つ以上の放送社から放送番組を受信する第２データ送受信部と、
前記受信された放送番組の音声情報を定められた時間の間に定められた時間周期で抽出し、前記音声情報を放送番組に関連付けて配置して放送番組の音声情報データベースに保存する情報抽出部と、をさらに含む、ことを特徴とする請求項１に記載の放送コンテンツ提供サーバ。
【請求項７】
放送コンテンツ提供サーバと通信網を介して接続され、前記放送コンテンツ提供サーバから放送コンテンツ情報の提供を受ける移動通信端末機において、
使用者から放送コンテンツ情報の表示命令の入力を受ける入力部と、
外部の音の入力を受ける音響入力部と、
前記放送コンテンツ情報の表示命令に応じて音声情報抽出命令を生成する制御部と、
前記音声情報抽出命令に応じて前記音響入力部から入力される前記音を定められた時間の間に抽出して音声情報および前記音声情報と関連付けられた時間情報を生成する音声情報抽出部と、
前記制御部の制御により前記音声情報および前記時間情報を前記放送コンテンツ提供サーバに送信する送受信部と、を含む、ことを特徴とする移動通信端末機。
【請求項８】
前記放送コンテンツ提供サーバから受信される前記音声情報および前記時間情報に対応する放送コンテンツ情報を表示する表示部をさらに含む、ことを特徴とする請求項７に記載の移動通信端末機。
【請求項９】
前記音声情報、前記時間情報、放送コンテンツおよび前記放送コンテンツ情報の中のいずれか一つまたは一つ以上の組み合わせを保存する保存部をさらに含む、ことを特徴とする請求項７に記載の移動通信端末機。
【請求項１０】
移動通信端末機および一つ以上の放送社と通信網を介して接続され、前記移動通信端末機に放送コンテンツ情報を提供する放送コンテンツ提供サーバにより実行される方法において、
前記移動通信端末機から音声情報および前記音声情報と関連付けられた時間情報を受信するステップと、
前記音声情報と前記時間情報とを用いて前記音声情報が含まれている放送番組を判断し、前記判断された放送番組と関連付けられた放送コンテンツ情報の抽出命令を生成するステップと、
前記放送コンテンツ情報の抽出命令に応じて放送番組と関連付けられた放送コンテンツ情報を保存している放送コンテンツ情報データベースから放送コンテンツ情報を読出すステップと、
前記読出された放送コンテンツ情報を前記移動通信端末機に送信するステップと、を含む、ことを特徴とする放送コンテンツ情報提供方法。
【請求項１１】
前記放送社から放送番組を受信するステップと、
前記放送番組の音声情報を定められた時間間隔で抽出し、前記放送番組にマッピングして放送番組の音声情報データベースに保存するステップと、をさらに含む、ことを特徴とする請求項１０に記載の放送コンテンツ情報提供方法。
【請求項１２】
任意の放送番組または前記放送番組と関連付けられた放送コンテンツ情報の入力を受けるステップと、
前記入力された放送番組と前記放送コンテンツ情報とをマッピングして前記放送コンテンツ情報データベースに保存するステップと、をさらに含む、ことを特徴とする請求項１０に記載の放送コンテンツ情報提供方法。
【発明の詳細な説明】
【技術分野】
【０００１】
本発明は、放送コンテンツ提供方法およびそのシステムに関し、特に放送番組と関連付けられた放送コンテンツ情報を提供する方法およびそのシステムに関する。
【背景技術】
【０００２】
情報通信の目覚しい発展により移動通信端末機には、主な電話機能の以外に、ＭＰ３、動画、放送などのような多様なマルチメディア機能が搭載されつつある。また、現在は、移動通信端末機内にＴＶ、ラジオチューナ機能が搭載されたり、ＤＭＢ（Ｄｉｇｉｔａｌ  Ｍｕｌｔｉｍｅｄｉａ  Ｂｒｏａｄｃａｓｔｉｎｇ）機能が搭載されるなどのコンバージョンス（ｃｏｎｖｅｒｇｅｎｃｅ）環境が作られている。しかし、衛星放送、空中波放送、衛星ＤＭＢ、地上波ＤＭＢなどから提供される放送番組は、それぞれの放送社より製作され一方向に提供される形態である。これを解決するために、放送番組と関連付けられた情報をＥＰＧ（Ｅｌｅｃｔｒｏｎｉｃ  ｐｒｏｇｒａｍ  Ｇｕｉｄｅ）を用いて放送番組とともに移動通信端末機に提供し、使用者が放送番組と関連付けられた情報を見るために特定キーを押す場合、無線インターネットに接続して当該放送コンテンツ情報に対応する詳細な情報の提供を受けることができる。
【０００３】
しかし、この放送番組と関連付けられた情報の提供を受けるためには、多数のキーを操作しなくてはならないという不便さがあり、また、現在は大部分が文字または停止映像を主とした情報が提供されている。
【０００４】
また、このような方法は、使用者が放送コンテンツを視聴する途中に放送コンテンツと関連付けられた情報を見るために別途で無線インターネットに接続しなくてはならないという不便さがある。
【発明の開示】
【発明が解決しようとする課題】
【０００５】
本発明は、上記に鑑みてなされたもので、その目的としては、使用者が使用者端末機を通して視聴または聴取中であった放送番組に連関付けられた放送コンテンツ情報を移動通信端末機を用いて提供を受けることができる方法およびシステムを提供することにある。
【０００６】
本発明の別の目的は、一度のキーボタン操作で放送番組に連関した放送コンテンツ情報をリアルタイムで提供を受けることができる方法およびシステムを提供することにある。
【０００７】
本発明のさらに別の目的は、一方向に提供される放送番組に対して、双方向の通信ができるようにする方法およびシステムを提供することにある。
【０００８】
本発明のさらにまた別の目的は、アナログ放送のように放送コンテンツ情報を提供しない放送番組に対しても連関した放送コンテンツ情報を提供することができる方法およびシステムを提供することにある。
【課題を解決するための手段】
【０００９】
上述した目的を果たすために、本発明の一実施形態によれば、移動通信端末機および放送社と通信網を介して接続され、放送コンテンツまたは放送コンテンツと関連付けられた放送コンテンツ情報を移動通信端末機に提供するシステムが提供される。
【００１０】
本発明の好適な一実施例によれば、移動通信端末機と通信網を介して接続され、移動通信端末機に放送コンテンツを提供する放送コンテンツ提供サーバにおいて、移動通信端末機から放送番組の音声情報と放送コンテンツと関連付けられた時間情報とを受信する第１データ送受信部と、音声情報と時間情報とを用いて音声情報が含まれた放送番組を判断し、判断された放送コンテンツ情報の抽出命令を生成する情報分析部と、放送コンテンツ情報の抽出命令に応じて放送コンテンツ情報を保存しているデータベースから判断された放送番組と関連付けられた放送コンテンツ情報を読出する放送コンテンツ情報マッピング部と、を含み、読出された放送コンテンツ情報を第１データ送受信部を介して移動通信端末機に提供する放送コンテンツ提供サーバが提供される。
【００１１】
本発明の好適な別の実施例によれば、放送コンテンツ提供サーバと通信網を介して接続され、放送コンテンツ提供サーバから放送コンテンツ情報の提供を受ける移動通信端末機において、使用者から放送コンテンツ情報の表示命令の入力を受ける入力部と、外部の音の入力を受ける音響入力部と、放送コンテンツ情報の表示命令に応じて音声情報抽出命令を生成する制御部と、音声情報抽出命令に応じて音響入力部から入力される音を定められた時間の間に抽出し、音声情報および音声情報と関連付けられた時間情報を生成する音声情報抽出部と、および制御部の制御により音声情報および時間情報を放送コンテンツ提供サーバに送信する送受信部と、を含む移動通信端末機が提供される。
【００１２】
本発明の別の実施形態によれば、移動通信端末機および放送社と通信網を介して接続され、移動通信端末機に放送コンテンツまたは放送コンテンツと関連付けられた放送コンテンツ情報を提供する方法が提供される。
【００１３】
本発明の好適な一実施例によれば、移動通信端末機および一つ以上の放送社と通信網を介して接続され、移動通信端末機に放送コンテンツ情報を提供する放送コンテンツ提供サーバにて行われる方法において、移動通信端末機から音声情報および音声情報と関連付けられた時間情報を受信するステップと、音声情報と時間情報とを用いて音声情報が含まれた放送番組を判断し、判断された放送番組と関連付けられた放送コンテンツ情報の抽出命令を生成するステップと、放送コンテンツ情報の抽出命令に応じて、放送番組と関連付けられた放送コンテンツ情報を保存している放送コンテンツ情報のデータベースから放送コンテンツ情報を読出するステップと、読出された放送コンテンツ情報を移動通信端末機に送信するステップと、を含む放送コンテンツ情報提供方法が提供される。
【発明の効果】
【００１４】
本発明によれば、使用者は使用者端末機を介して視聴中、聴取中の少なくとも一方であった放送番組と関連付けられた放送コンテンツ情報の提供を自動的に受けることができる。
【００１５】
また、本発明は一度のキー操作のみで放送番組と関連付けられた放送コンテンツ情報をリアルタイムで提供を受けることができて、使用者の利便性を向上することができる。
【００１６】
また、アナログ放送のように、放送コンテンツ情報を提供しない放送番組に対しても関連付けられた放送コンテンツ情報を提供し、双方向の通信を行うことができる。
【発明を実施するための最良の形態】
【００１７】
本発明は、多様な変更をすることができ、さまざまな実施例を有することができるので、特定の実施例などを図面に例示して詳細に説明する。しかし、本発明は、このような特定の実施形態に限定することなく、本発明の思想および技術範囲に含まれるすべての変更、均等物ないし代替物を含むことと理解されるべきである。各図面を説明する場合、類似の参照符号を類似の構成要素に対して使用した。
【００１８】
以下、添付図面などを参照して、本発明の好適な実施例をより詳細に説明する。以下、図面上の同一である構成要素に対しては同一の参照符号を使用し、同一の構成要素に対する重複説明を省略する。また、本発明を説明する場合に、係わる公知技術に対する具体的な説明が本発明の要旨をかえって不明にすると判断される場合、その詳細な説明を省略する。
【００１９】
本発明は、空中波放送、衛星放送、衛星ＤＭＢ、地上波ＤＭＢなどを提供する放送社の放送と関連付けられた放送コンテンツ情報（例えば、任意の場面の撮影場所情報、撮影場所の予約情報、出演俳優情報、出演俳優の衣装情報、アンケート調査情報、視聴者参加情報など）を移動通信端末機１１０にリアルタイムで提供するシステムおよびその方法に関する。本発明による放送コンテンツ提供システム１００は、例えば、ＫＢＳ、ＭＢＣ、ＳＢＳなどの空中波から提供される放送番組のように、別途で放送番組と関連付けられたコンテンツ情報を提供しない放送番組に対してもコンテンツ情報を生成し、移動通信端末機１１０にコンテンツ情報を提供することもできる。以下、理解と説明の便宜のために、移動通信端末機１１０に、放送コンテンツ提供サーバ１２０から提供される放送コンテンツ情報を提供するためのアプリケーションを実行できるソフトウェアが設置されていると仮定して説明する。また、本実施形態において、放送番組とは、使用者端末機（図示せず）、例えば、ＴＶ、ラジオなど、を介してそれぞれの放送社１３０または広告製作者（図示せず）などにより提供される放送、広告などであってもよく、勿論、放送、広告以外に使用者端末機（図示せず）に提供される異なる情報であってもよい。
【００２０】
図１は本発明の好適な一実施例による放送コンテンツ提供システムを示すブロック図であり、図２は本発明の好適な一実施例による移動通信端末機の内部ブロック図であり、図３は本発明の好適な一実施例による放送コンテンツ提供サーバを示すブロック図である。
【００２１】
図１に示すように、本発明による放送コンテンツ提供システム１００は、移動通信端末機１１０、放送コンテンツ提供サーバ１２０、第１放送社１３０ａ、第２放送社１３０ｂ、．．．、第ｎ放送社１３０ｎにより構成され、それぞれは通信網を介してネットワークで接続されている。また、放送コンテンツ提供システム１００は、それぞれの放送社１３０の放送番組を受信するモジュール（図示せず）を含んでもよく、当該モジュールを介してそれぞれの放送社１３０から提供される放送コンテンツ情報をリアルタイムで受信してもよい。
【００２２】
ここで、通信網は、ＢＴＳ（Ｂａｓｅ  Ｔｒａｎｓｃｅｉｖｅｒ  Ｓｔａｔｉｏｎ）、ＢＳＣ（Ｂａｓｅ  Ｓｔａｔｉｏｎ  Ｃｏｎｔｒｏｌｌｅｒ）およびＰＤＳＮ（Ｐａｃｋｅｔ  ＤａｔａＳｅｒｖｉｎｇ  Ｎｏｄｅ）を含む移動通信網および有無線インターネット網を含んでもよい。
【００２３】
図２を参照すると、移動通信端末機１１０は、送受信部２１０、表示部２１５、音声情報抽出部２２０、保存部２２５、音響出力部２３０、音響入力部２３５、入力部２４５、制御部２４０を含む。
【００２４】
送受信部２１０は、通信網を介して放送コンテンツ提供サーバ１２０とのデータを送受信する機能を果たす。例えば、送受信部２１０は、放送コンテンツ提供サーバ１２０から放送コンテンツ情報を受信し、制御部２４０に転送する。また、送受信部２１０は、制御部２４０の制御により任意の放送番組の定められた時間の間に生成された音声情報と時間情報とを通信網を介して放送コンテンツ提供サーバ１２０に転送する。ここで、放送番組とは、放送社１３０から受信して使用者端末機、例えば、ＴＶ、ラジオなどを介して視聴または聴取している番組である。勿論、使用者端末機（図示せず）は、ＴＶ、ラジオ以外の異なる媒体であってもよい。ここで、時間情報は、当該音声情報の抽出を開始した時間および当該音声情報の抽出が終了した時間などである。
【００２５】
本実施形態において、放送コンテンツ情報は、例えば、任意の場面撮影場所情報、撮影場所の予約情報、出演俳優情報、出演俳優の衣装情報、出演俳優の衣装購買情報、アンケート調査情報、視聴者参加情報などのように、放送コンテンツと関連付けられて付加的に提供される情報として定義する。また、放送コンテンツ情報は、本実施形態に記載していないが、使用者端末機（図示せず）以外の移動通信端末機１１０を介して付加的に提供できる任意の放送番組、広告などに関連付けられた情報様式も含んでもよい。
【００２６】
ここで、放送コンテンツ情報は、入力部２４５を介して、使用者から放送コンテンツ情報表示のための放送コンテンツ表示命令の入力を受け、既に定められた時間間隔で任意の時間の間に生成された音声情報を放送コンテンツ提供サーバ１２０に転送し、当該音声情報に対応して放送コンテンツ提供サーバ１２０から提供を受けるようにしてもよい。
【００２７】
表示部２１５は、制御部２４０の制御により放送コンテンツ情報を出力する手段である。ここで、放送コンテンツ情報は、例えば、文字データ、数字データ、映像データなどであってよい。例えば、表示部２１５は、液晶画面（ＬＣＤ、Ｌｉｑｕｉｄ  Ｃｒｙｓｔａｌ  Ｄｉｓｐｌａｙ）であってよい。
【００２８】
音声情報抽出部２２０は、制御部２４０の制御により音響入力部２３５から入力される任意の放送番組の音声情報を定められた時間間隔で定められた時間の間に抽出し、制御部２４０に転送する。例えば、定められた時間間隔が１分であり、５秒間に放送コンテンツの音声情報を抽出すると仮定した場合、音声情報抽出部２２０は、制御部２４０の制御により音響入力部２３５から入力される音声データを１分間隔で５秒間の音声情報を抽出（以下では、音声情報抽出部２２０から抽出された音声情報を“抽出音声情報”と称する）する。そして、音声情報抽出部２２０は、抽出音声情報の抽出時間情報、例えば、抽出音声情報の抽出を始めた時間、抽出音声情報の抽出を終了した時間などを生成して制御部２４０に転送してもよい。
【００２９】
保存部２２５は、移動通信端末機１１０の運用番組、放送コンテンツ提供サーバ１２０から受信される放送コンテンツを実行するためのアプリケーションに対応するプログラム、抽出音声情報および時間情報、抽出音声情報に対応して放送コンテンツ提供サーバ１２０から受信される放送コンテンツ情報（例えば、任意の場面の撮影場所情報、撮影場所の予約情報、出演俳優情報、出演俳優の衣装情報、アンケート調査情報、視聴者参加情報など）、既に設定されているアルゴリズムなどが保存される。勿論、保存部２２５には、以外の異なる情報を保存してもよい。
【００３０】
音響出力部２３０は、放送コンテンツ提供サーバ１２０から提供される放送コンテンツに対応して受信された音響を出力する手段であって、例えば、スピーカであってもよい。
【００３１】
音響入力部２３５は、制御部２４０の制御により一つ以上のアナログ音響データの入力を受けて制御部２４０に転送する。例えば、音響入力部２３５は、マイクであってもよい。例えば、音響入力部２３５は、使用者から入力部２４５を介して放送コンテンツ情報の表示命令に応ずる機能ボタンが押さえられた場合、制御部２４０の制御により動作を開始するようにしてもよい。
【００３２】
入力部２４５は、使用者から移動通信端末機の動作を制御する制御命令、機能選択命令、例えば、放送コンテンツ情報の表示命令、などを入力する手段である。例えば、入力部２４５は、複数のキーボタン（例えば、数字／文字キー、＊または＃の記号キー、一つ以上の機能キー（例えば、メニューキー、通話キー、確認キー、無線インターネット接続キーなど））で具現してもよく、タッチスクリーンなどの形態で具現してもよい。
【００３３】
制御部２４０は、本発明による移動通信端末機１１０のそれぞれの構成要素（例えば、送受信部２１０、表示部２１５、音声情報抽出部２２０、保存部２２５、音響出力部２３０、音響入力部２３５、入力部２４５など）を制御する機能を果たす。また、制御部２４０は、使用者から入力部２４５を介して放送コンテンツ情報の表示命令が入力されると、音響入力部２３５の動作を開始するための制御命令を音響入力部２３５に転送する。また、制御部２４０は、音響入力部２３５が動作を開始したことに応じて音声情報抽出部２２０の動作開始を指示するようにしてもよい。これにより、放送コンテンツ情報の表示命令が入力されると、音響入力部２３５を介して入力される放送番組の音声情報を音声情報抽出部２２０が定められた時間の間に抽出し、抽出音声情報および時間情報を生成して制御部２４０に転送することができる。
【００３４】
以下で、使用者から入力部２４５を介して放送コンテンツ情報の表示命令に対応する機能ボタンが押された場合に、制御部２４０は任意の放送番組に対する音声情報を抽出するために、“音声情報生成制御命令”を音響入力部２３５および音声情報抽出部２２０の動作開始を指示する命令として定義する。
【００３５】
例えば、使用者が使用者端末機（図示せず）を介して任意の放送番組を視聴していると仮定する。この時、使用者が使用者端末機（図示せず）を介して視聴中の放送番組と関連付けられた放送コンテンツ情報を見るために、移動通信端末機１１０に含まれている入力部２４５を介して放送コンテンツ情報の表示命令の入力を受けて制御部２４０に転送することができる。放送コンテンツ情報の表示命令の入力を受けた制御部２４０は、放送番組の音声情報を抽出するために音響入力部２３５および音声情報抽出部２２０に音声情報抽出制御命令を転送することができる。これにより、音響入力部２３５は、使用者端末機（図示せず）から出力される音声情報の入力を受け、音声情報抽出部２２０に転送することができる。そして、音声情報抽出部２２０は、音響入力部２３５を介して入力を受けた音声情報から定められたアルゴリズムに応じて（例えば、音声認識アルゴリズムなど）音声パターンを抽出し、制御部２４０に転送することができる。勿論、移動通信端末機１１０が使用者端末機（図示せず）から抽出した音声情報自体を通信網を介して放送コンテンツ提供サーバ１２０に伝送することもできるが、通信網を介して転送されるデータの転送量を減らすために、定められたアルゴリズムに応じて音声パターンを抽出し、これを放送コンテンツ提供サーバ１２０に伝送することもできる。
【００３６】
以下、音声情報抽出部２２０から定められたアルゴリズムに応じて音声情報に対する音声パターンを抽出し、制御部２４０に転送することについて重点的に説明する。図３を参照すると、放送コンテンツ提供サーバ１２０は、データ送受信部３１０、情報分析部３２０、放送コンテンツ情報マッピング部３３０、情報抽出部３４０、放送コンテンツ情報登録部３５０を含む。
【００３７】
データ送受信部３１０は、通信網を介して移動通信端末機１１０または第１放送社１３０ａ、第２放送社１３０ｂ、．．．、第ｎ放送社１３０ｎとのデータを送受信する機能を果たす。図３に示すように、データ送受信部３１０は、第１データ送受信部３０２と第２データ送受信部３０５とを含んでもよい。
【００３８】
第１データ送受信部３０２は、通信網を介して移動通信端末機１１０に放送コンテンツ情報を提供し、移動通信端末機１１０から任意の放送番組より抽出した音声情報を受信して、情報分析部３２０に転送する。
【００３９】
第２データ送受信部３０５は、通信網を介して第１放送社１３０ａ、第２放送社１３０ｂ、．．．、第ｎ放送社１３０ｎから放送番組の音声情報を受信し、情報抽出部３４０に転送する。
【００４０】
以下、説明の便宜のために、第１データ送受信部３０２を介して移動通信端末機１１０から受信された音声情報を第１音声情報と称し、第２データ送受信部３０５を介してそれぞれの放送社１３０から受信された音声情報を第２音声情報と称する。
【００４１】
ここで、放送番組は、通信網を介して第１放送社１３０ａ、第２放送社１３０ｂ、第ｎ放送社１３０ｎから提供することができ、移動通信システム（図示せず）を介して提供することもできる。また、放送番組は、空中波放送、衛星放送、衛星ＤＭＢ、地上波ＤＭＢ、インターネット放送などを介して提供されるすべての放送番組を含んでもよい。また、本実施形態において、放送番組は、それぞれの放送社１３０から提供される放送番組だけでなく、広告放送などを含んでもよい。
【００４２】
情報分析部３２０は、第１データ送受信部３０２から入力された第１音声情報を分析して第１音声情報が含まれている放送番組を判断し、放送番組に関連付けられた放送コンテンツ情報の抽出命令を放送コンテンツ情報マッピング部３３０に転送する。
【００４３】
例えば、情報分析部３２０は、第１音声情報の時間情報に基づいて放送番組の音声情報データベース３７０から第１音声情報が含まれている放送番組を判断し、放送コンテンツ情報の抽出命令を生成して放送コンテンツ情報マッピング部３３０に転送することができる。ここで、放送番組の音声情報データベース３７０は、第２データ送受信部３０５から入力された放送番組の音声情報（すなわち、第２音声情報）を定められた時間間隔で抽出して定められたアルゴリズムに応じて音声パターンを保存しておくことができる。
【００４４】
放送コンテンツ情報マッピング部３３０は、情報分析部３２０を介して入力された放送コンテンツ情報の抽出命令に応じて放送コンテンツ情報を放送コンテンツ情報データベース３６０から読出し、データ送受信部３１０を介して移動通信端末機１１０に転送する。ここで、放送コンテンツ情報データベース３６０は、放送番組と関連付けられた放送コンテンツ情報（例えば、任意の場面の撮影場所情報、撮影場所の予約情報、出演俳優情報、出演俳優の衣装情報、アンケート調査情報、視聴者参加情報など）を関連付けて配置（マッピング）して保存しておくことができる。すなわち、放送コンテンツ情報データベース３６０は、放送番組に対応して移動通信端末機１１０に転送する付加的な情報を関連付けて配置（マッピング）して保存しておくことができる。ここで、放送コンテンツ情報は、放送番組と関連付けられて移動通信端末機１１０に転送できる文字、数字、映像、オーディオなどを含む情報であってもよく、本実施形態に記載されていない異なる情報を含んでもよい。
【００４５】
情報抽出部３４０は、第２データ送受信部３０５から入力された第２音声情報を定められた時間の間に抽出して放送番組に関連付けて配置（マッピング）し、放送番組の音声情報データベース３７０に保存する。
【００４６】
ここで、情報抽出部３４０は、第２データ送受信部３０５を介して受信されるそれぞれの放送社１３０から提供される放送番組の音声情報を、定められた時間間隔で定められた時間の間に抽出して放送番組の音声情報データベース３７０に保存することができる。また、情報抽出部３４０は、情報分析部３２０から放送コンテンツ情報の抽出命令が入力されると、第２データ送受信部３０５を介して受信されるそれぞれの放送社１３０から提供される放送番組の音声情報を定められた時間の間に抽出して放送番組の音声情報データベース３７０に保存することもできる。
【００４７】
また、情報抽出部３４０は、第２データ送受信部３０５から入力される放送番組の音声情報に対する音声パターンを定められた音声認識アルゴリズムに応じて抽出して放送番組の音声情報データベース３７０に保存することもできる。
【００４８】
以下、音声認識アルゴリズムに応じて音声情報から音声パターンを抽出する方法については、当業者には自明な事項であるので、これに関する説明を省略する。
【００４９】
放送コンテンツ情報登録部３５０は、それぞれの放送社、放送番組製作者、広告製作者などから放送番組、放送番組と関連付けられた放送コンテンツ情報のうち少なくとも１つの情報の入力を受けて、この情報を放送番組に関連付けて配置（マッピング）して放送コンテンツ情報データベース３６０に保存する機能を果たす。ここで、放送番組と、放送番組と関連付けられた放送コンテンツ情報とが、必ずしも同一な装置から提供されなくてもよい。
【００５０】
ここで、放送コンテンツ情報は、放送番組と関連付けられて付加的に提供されるマルチメディアデータであって、文字データ、数字データ、映像データ、オーディオデータなどであってよい。例えば、放送番組がドラマであると仮定した場合、放送コンテンツ情報は、任意の場面の撮影場所情報、撮影場所の予約情報、出演俳優情報、出演俳優の衣装情報、アンケート調査情報、視聴者参加情報などであってもよく、勿論その以外の異なる情報であってもよい。
【００５１】
図４は、本発明の好適な一実施例による放送コンテンツ提供サーバが放送社から放送番組、放送コンテンツ情報のうちの何れか一方の提供を受けて登録（保存）する方法を示すフローチャートである。以下では、放送コンテンツ提供サーバとそれぞれの放送社とは、通信網を介してネットワークを介して接続されていることとして説明する。本発明では、放送社から提供される放送番組だけでなく、放送社を介さないで提供される放送番組（例えば、移動通信サービス事業者が自体製作した放送番組など）に対しても同様に適用することができる。また、放送社から提供される放送番組は、デジタル放送番組であってもよく、一般アナログ放送であってもよい。以下、理解と説明の便宜のために、空中波の放送社から提供される放送番組（例えば、アナログ放送）の放送コンテンツ情報を生成して登録する過程を重点として説明する。また、以下に説明するそれぞれのステップは、放送コンテンツ提供サーバ１２０のそれぞれの構成要素において実行されるが、理解と説明の便宜のために放送コンテンツ提供サーバ１２０と通称して説明する。以下では、放送番組と、放送番組と関連付けられた放送コンテンツ情報とを第２データ送受信部３０５を介して放送社１３０から受信し、放送番組にマッピングして保存することを重点として説明する。
【００５２】
ステップ４１０で、放送コンテンツ提供サーバ１２０は、通信網を介して放送社（例えば、第１放送社１３０ａ、第２放送社１３０ｂ、．．．、第ｎ放送社１３０ｎ）から放送番組を受信する。ここで、放送コンテンツ提供サーバ１２０は、一つの放送社の放送番組ではなく、それぞれの放送社１３０ａ、．．．、１３０ｎから提供される放送番組をすべて受信するようにしてもよい。しかし以下では、理解と説明の便宜のために一つの放送社（例えば、第１放送社１３０ａ）から一つの放送番組（例えば、第１放送番組）を受信し、当該放送番組と関連付けられた放送コンテンツ情報を関連付けて配置（マッピング）して登録することを重点として説明する。
【００５３】
ステップ４２０で、放送コンテンツ提供サーバ１２０は、第１放送社１３０ａから受信された第１放送番組と関連付けられた放送コンテンツ情報（例えば、任意の場面の撮影場所情報、撮影場所の予約情報、出演俳優情報、出演俳優の衣装情報、アンケート調査情報、視聴者参加情報など）の入力を受けて放送番組の放送コンテンツ情報を生成する。ここで、放送コンテンツ情報は、第１放送社１３０ａから第１放送番組とともに受信された情報であってもよく、別途で第１放送番組と関連付けられて提供された情報であってもよい。
【００５４】
例えば、放送番組が商業広告であると仮定する。そして、放送コンテンツ情報は、商業広告と関連付けられて付加的に提供される情報（例えば、商業広告に対する使用者の反応を調べるアンケート調査情報など）と仮定すれば、放送コンテンツ提供サーバ１２０は、放送番組と放送コンテンツ情報とを関連付けて配置（マッピング）して保存してもよい。
【００５５】
さらに別の例としては、放送コンテンツの類型がドラマであると仮定すれば、放送コンテンツ提供サーバ１２０は、それぞれの場面を重点として撮影場所情報、出演俳優情報、出演俳優の衣装情報、出演俳優のアクセサリーまたは小品情報、これに対する購買情報などを、例えば、放送コンテンツ提供サーバ管理者（図示せず）から入力を受けて放送コンテンツ情報を生成してもよい。
【００５６】
ステップ４３０で、放送コンテンツ提供サーバ１２０は、生成された放送コンテンツ情報を放送番組に対応して配置（マッピング）し、放送コンテンツ情報データベース３６０に保存する。ここで、放送コンテンツ提供サーバ１２０は、生成されたそれぞれの放送コンテンツ情報（例えば、出演俳優情報、出演俳優の衣装または小品情報、当該衣装および小品の購買情報など）をそれぞれのデータベース（例えば、出演俳優のデータベース、出演俳優の衣装または小品のデータベース、出演俳優の衣装または小品の購買データベースなど）にそれぞれ保存してもよい。ここで、データベース（図示せず）または放送コンテンツ情報データベース３６０は、それぞれの放送コンテンツ情報を保存しているＵＲＬを保存してもよい。このように、データベース（図示せず）または放送コンテンツ情報データベース３６０がそれぞれの放送コンテンツ情報に対するＵＲＬを保存している場合、放送コンテンツ提供サーバ１２０は、該当するＵＲＬを読出した後、当該ＵＲＬから情報を読み、移動通信端末機１１０に転送してもよい。
【００５７】
図５は、本発明の好適な一実施例による放送コンテンツ提供サーバが通信網を介して移動通信端末機に放送番組に対応する放送コンテンツ情報を提供する方法を示すフローチャートである。本発明による放送コンテンツ提供サーバ１２０は、移動通信端末機１１０から放送番組の任意の時間の間に音声情報を持続的に受信し、当該音声情報に対応する放送コンテンツ情報を通信網を介して移動通信端末機１１０に提供する。以下では、通信網を介して移動通信端末機１１０から定められた時間間隔で任意の時間の間に音声情報を受信して、当該音声情報に対応する放送番組の放送コンテンツ情報を読出し、通信網を介してリアルタイムで移動通信端末機１１０に提供することを重点として説明する。
【００５８】
ステップ５１０で、データ送受信部３１０は、通信網を介して移動通信端末機１１０から音声情報、音声情報の時間情報を受信し、情報分析部３２０に転送する。ここで、音声情報と音声情報の時間情報とは、定められた時間間隔で移動通信端末機１１０から通信網を介して持続的に受信してもよい。例えば、使用者が使用者端末機（図示せず）を介して任意の放送広告を視聴していたと仮定する。使用者が視聴中であった放送広告と関連付けられた放送コンテンツ情報を見たり、放送番組に参加するために移動通信端末機１１０を介して放送コンテンツ情報の表示命令に対応して設定された機能ボタンを押すと、移動通信端末機１１０は視聴中であった放送広告の音声情報を抽出して保存することができる。ここで、移動通信端末機１１０は、定められた時間（例えば、５秒、１０秒など）の間に音声情報を抽出して保存することができる。また、移動通信端末機１１０は、音声情報抽出時間（例えば、標準時を基準として、音声情報抽出を始めた時間と抽出を終了した時間を含む）をともに保存し通信網を介してデータ送受信部３１０に転送することができる。データ送受信部３１０は、移動通信端末機１１０から受信された音声情報と時間情報とを情報分析部３２０に転送する。ここで、時間情報は当該放送コンテンツから抽出された音声情報の抽出を始めた時間情報、音声情報の抽出を終了した時間情報などを含んでもよい。ここで、音声情報は定められた音声認識アルゴリズムに応じて抽出された音声パターンであってもよい。また、本実施形態において、音声情報は、放送番組から出力されるすべての音響情報であってもよい。
【００５９】
ステップ５２０で、情報分析部３２０はデータ送受信部３１０から入力された音声情報と、音声情報の時間情報を用いて当該音声情報が含まれている放送番組を判断して、放送コンテンツ情報の抽出命令を生成して放送コンテンツ情報マッピング部３３０に転送する。ここで、時間情報は、当該放送番組の音声情報の抽出を始めた時間、音声情報の抽出を終了した時間などであってもよい。
【００６０】
例えば、情報分析部３２０は、データ送受信部３１０を介して入力された音声情報と音声情報の時間情報とを用いて、放送番組の音声情報データベース３７０に保存されている音声情報と時間情報とを用いて放送番組を判断する。そして、情報分析部３２０は、判断された放送番組と関連付けられた放送コンテンツ情報の抽出命令を生成して放送コンテンツ情報マッピング部３３０に転送する。例えば、放送番組の音声情報データベース３７０は、持続的にデータ送受信部３１０を介してそれぞれの放送社１３０から放送番組の音声情報を受信して、定められた時間間隔で定められた時間の間に抽出して保存しておくことができる。勿論、情報分析部３２０が放送コンテンツ情報の抽出命令を放送コンテンツの情報抽出部３４０に転送して放送コンテンツの情報抽出部３４０が当該時点にデータ送受信部３１０を介して放送社１３０から受信された放送番組の音声情報を定められた時間の間に抽出し、放送番組の音声情報データベース３７０に保存することもできる。
【００６１】
ステップ５３０で、放送コンテンツ情報マッピング部３３０は、情報分析部３２０から入力された放送コンテンツ情報の抽出命令に応じて放送コンテンツ情報を放送コンテンツ情報データベース３６０から読出し、データ送受信部３１０に転送する。
【００６２】
ここで、放送コンテンツ情報は、上述したように、放送番組と関連付けられた、例えば、任意の場面の撮影場所情報、撮影場所の予約情報、出演俳優情報、出演俳優の衣装情報、アンケート調査情報、視聴者参加情報などのように付加的に提供される情報であってもよい。
【００６３】
ステップ５４０で、放送コンテンツ情報マッピング部３３０は、読出された放送コンテンツ情報をデータ送受信部３１０に転送して通信網を介して移動通信端末機１１０に送信する。
【００６４】
図６は、本発明の好適な一実施例による移動通信端末機が放送番組に関連付けられた放送コンテンツ情報を、通信網を介して接続された放送コンテンツ提供サーバからの提供を受けて表示部を介して出力する過程を示すフローチャートである。図７は本発明の好適な一実施例による移動通信端末機が放送コンテンツ情報を受信して表示部を介して出力することを例示する図である。以下では、使用者が使用者端末機（図示せず、例えば、ＴＶ）を介して任意の放送番組の視聴中に放送番組に対する放送コンテンツ情報を見るために移動通信端末機１１０を介して当該放送番組と関連付けられた放送コンテンツ情報提供命令を放送コンテンツ提供サーバ１２０に送信し、これに対する放送コンテンツ情報の提供を受けて出力することと仮定して説明する。以下、放送番組は、任意の放送広告であることを重点として説明する。
【００６５】
本発明による移動通信端末機１１０は、使用者端末機（図示せず）を介して視聴または聴取中であった放送番組の音声情報を定められた時間の間に抽出し通信網を介して放送コンテンツ提供サーバ１２０に転送して、当該音声情報が含まれている放送番組と関連付けられた放送コンテンツ情報の提供を受けて表示することができる。
【００６６】
ステップ６１０乃至６２０で、移動通信端末機１１０は、備えられている入力部２４５を介して使用者から放送コンテンツ表示命令に対応して設定された機能ボタンが押された場合、音声情報抽出命令を音声情報抽出部２２０と音響入力部２３５とに転送する。
【００６７】
例えば、使用者が図７に示す７０１のように使用者端末機（図示せず）を介して広告を見ていたと仮定する。この時、使用者が視聴中であった放送広告の付加的な情報を見るために、移動通信端末機１１０を介して放送コンテンツ表示命令に対応して設定された機能ボタンを押すと、移動通信端末機１１０は、視聴中であった放送広告の音声情報を抽出するために音響入力部２３５に音声情報抽出命令を転送する。音声情報抽出命令に応じて音響入力部２３５は外部の音響の入力を受けて音声情報抽出部２２０に転送する。
【００６８】
ステップ６３０で、音声情報抽出部２２０は、制御部２４０の制御により音響入力部２３５から外部音響の入力を受けて音声情報を抽出し、音声情報抽出時間情報とともに制御部２４０に転送する。
【００６９】
例えば、音声情報抽出部２２０は、音響入力部２３５から入力された音響情報から雑音（ｎｏｉｓｅ）を除去する前処理過程を実行し、当該音響情報から放送広告の音声情報から定められた音声認識アルゴリズムを用いて音声パターンを抽出する。そして、音声情報抽出部２２０は、音声情報の抽出を始めた時間と音声情報の抽出を終了した時間情報を保存する。音声情報抽出部２２０は、抽出された音声パターンと時間情報とを制御部２４０に転送する。
【００７０】
例えば、７０１の場面において、放送広告の音声情報を２２時２０分１０秒から抽出し始め、２２時２０分２０秒に当該音声情報の抽出を終了したと仮定する。そうすると、音声情報抽出部２２０は、抽出した音声情報と音声情報抽出時間（例えば、音声情報抽出を始めた時間、音声情報抽出を終了した時間）とを保存した後、制御部２４０に転送することができる。
【００７１】
ステップ６４０で、制御部２４０は音声情報抽出部２２０から入力された音声情報と時間情報とを送受信部２１０を介して放送コンテンツ提供サーバ１２０に転送する。
【００７２】
ここで、放送コンテンツ提供サーバ１２０は、移動通信端末機１１０から音声情報と時間情報（例えば、音声情報抽出を始めた時間、音声情報抽出を終了した時間など）とを受信すると、音声情報と時間情報とを用いて放送番組の音声情報データベース３７０から当該音声情報が含まれている放送番組を判断し、判断された放送番組と関連付けられた放送コンテンツ情報を放送コンテンツ情報データベース３６０から読出し、通信網を介して移動通信端末機１１０に転送する。
【００７３】
例えば、放送番組の音声情報データベース３７０がそれぞれの放送社１３０から受信された放送番組の音声情報を持続的に、定められた時間間隔で定められた時間の間に抽出し、抽出した音声情報と時間情報とをそれぞれの放送番組に対応して配置（マッピング）して保存していると仮定する。こうすると、放送コンテンツ提供サーバ１２０は、移動通信端末機１１０から受信された時間情報を用いて同一な時間に放送されている放送番組等を抽出する。そして、放送コンテンツ提供サーバ１２０は、移動通信端末機１１０から受信された音声情報と一致する音声情報が含まれている放送番組を判断し、判断された放送番組と関連付けられた放送コンテンツ情報を放送コンテンツ情報データベース３６０から読出し、通信網を介して移動通信端末機１１０に送信する。
【００７４】
ステップ６５０で、制御部２４０は、送受信部２１０を介して放送コンテンツ提供サーバ１２０から放送コンテンツ情報が受信されたか否かを判断する。
【００７５】
ここで、放送コンテンツ情報が受信された場合、ステップ６６０で、制御部２４０は受信された放送コンテンツ情報を表示部２１５および音響出力部２３０に出力する。
【００７６】
例えば、放送コンテンツ提供サーバ１２０から受信された放送コンテンツ情報が図７に示す７１０乃至７３０のように放送広告と関連付けられたマルチメディアデータ（例えば、数字データ、文字データ、映像データ、オーディオデータなど）を含む付加情報であると仮定する。移動通信端末機１１０は、放送コンテンツ提供サーバ１２０から放送広告と関連付けられて受信された放送コンテンツ情報を反復的に出力することができる。図７の７１０乃至７３０に、放送広告と関連付けられた放送コンテンツ情報を出力した例が例示されている。
【００７７】
ステップ６７０で、制御部２４０は入力部２４５を介して放送コンテンツ情報表示の中止命令に対応して設定された機能ボタンが使用者により押されたか否かを判断する。
【００７８】
放送コンテンツ情報表示の中止命令が入力されると、ステップ６８０で、制御部２４０は、音響出力部２３０および表示部２１５に放送コンテンツ情報が出力されないように当該放送コンテンツ情報を転送しない。
【００７９】
しかし、放送コンテンツ情報表示の中止命令が入力されなかった場合には、ステップ６７０で待機する。
【００８０】
上述したように、使用者が使用者端末機（図示せず）を介して視聴中、聴取中の少なくとも一方であった放送番組の音声情報を移動通信端末機１１０を介して抽出して放送コンテンツ提供サーバ１２０に送信し、当該放送番組と関連付けられて付加的に提供される放送コンテンツ情報を受信して出力することができる。
【００８１】
さらに別の例を挙げると、図７に示す７０１のように使用者端末機（図示せず）を介して放送広告を見ている際に、移動通信端末機１１０を介して放送広告と関連付けられたアンケート調査情報の提供を受けて、これに対する応答情報を放送コンテンツ提供サーバ１２０に送信することもできる。
【産業上の利用可能性】
【００８２】
上述した本発明の好適な実施例は、例示のために開示したものであって、本発明における通常の知識を持った当業者であれば本発明の思想と範囲内で多様な修正、変更、付加が可能であり、このような修正、変更および付加は、特許請求の範囲に属するものとして解釈されるべきである。
【図面の簡単な説明】
【００８３】
【図１】本発明の好適な一実施例による放送コンテンツ提供システムを示すブロック図である。
【図２】本発明の好適な一実施例による移動通信端末機の内部ブロック図である。
【図３】本発明の好適な一実施例による放送コンテンツ提供サーバを示すブロック図である。
【図４】本発明の好適な一実施例による放送コンテンツ提供サーバが放送社から放送番組の提供を受け、放送コンテンツ情報を生成し登録（保存）する方法を示すフローチャートである。
【図５】本発明の好適な一実施例による放送コンテンツ提供サーバが通信網を介して移動通信端末機に放送コンテンツに対応する放送コンテンツ情報を提供する方法を示すフローチャートである。
【図６】本発明の好適な一実施例による移動通信端末機が放送コンテンツと関連付けられた放送コンテンツ情報を通信網を介して接続されている放送コンテンツの提供サーバから受信し、表示部を介して出力する過程を示すフローチャートである。
【図７】本発明の好適な一実施例による移動通信端末機が放送コンテンツまたは放送コンテンツ情報を受信し出力することを例示する図面である。
【図１】
2008527788.tif 000003
【図２】
2008527788.tif 000004
【図３】
2008527788.tif 000005
【図４】
2008527788.tif 000006
【図５】
2008527788.tif 000007
【図６】
2008527788.tif 000008
【図７】
2008527788.tif 000009
【国際調査報告】
2008527788.tif 000010
2008527788.tif 000011